(57)【要約】【課題】出金硬貨が上位装置より指示された枚数及び金種であるかどうかを識別する識別部を不要とし、取り忘れ硬貨と出金リジェクト硬貨を別々に設けなくてもよいようにする。【解決手段】繰出し部センサ及び出金部センサを設け、通過する硬貨の枚数を計数し比較し、出金動作が正常であるかどうかの判断を行うようにした。或いはさらに、硬貨出金可能枚数カウンタを設け、過投出発生時には、過投出枚数を出金金種の硬貨出金可能枚数カウンタからそれぞれ減算し、以降の取引では硬貨出金可能枚数カウンタを硬貨枚数管理カウンタとして使用するようにした。或いはさらに、出金リジェクト硬貨および取忘れ硬貨を格納する出金リジェクト庫を具備し、出金リジェクト庫内に硬貨が入っていないときは、前記出金受皿の取忘れ硬貨を出金リジェクト庫へ回収し、出金取引を継続するようにした。【選択図】図１
2008003995.tif 000002
【特許請求の範囲】
【請求項１】
出金用ホッパより硬貨を放出して搬送し、出金受皿に出金する硬貨出金取引装置において、
前記出金用ホッパ近傍に設けた繰出し部センサと、
前記出金受皿の手前に出金部センサを設け、
前記各センサを通過する硬貨の枚数計数値に基づいて、出金動作が正常であるかどうかを判定するようにしたことを特徴とする硬貨出金取引装置。
【請求項２】
出金する硬貨枚数を出金の都度減算し、出金可能な硬貨の枚数を管理する硬貨出金可能枚数カウンタと、
出金する硬貨枚数を出金の都度減算し、前記出金用ホッパ内の硬貨枚数を管理する硬貨枚数管理カウンタとを具備し、
前記繰出し部センサを通過する枚数の計数値が前記出金する硬貨枚数の合計値より大きいときは、出金した金種の前記硬貨出金可能枚数カウンタから当該過投出枚数をさらに減算し、前記硬貨出金可能枚数カウンタを前記硬貨枚数管理カウンタとして使用するようにしたことを特徴とする請求項１記載の硬貨出金取引装置。
【請求項３】
出金リジェクト硬貨および取忘れ硬貨を格納する出金リジェクト庫を具備し、
前記出金リジェクト庫内に硬貨が入っていないときは、前記出金受皿の取忘れ硬貨を出金リジェクト庫へ回収し、出金取引を継続するようにしたことを特徴とする請求項１および請求項２記載の硬貨出金取引装置。
【発明の詳細な説明】
【技術分野】
【０００１】
本発明は、硬貨の出金取引を行う硬貨出金取引装置に関するものである。
【背景技術】
【０００２】
従来、銀行などの金融機関に設置された硬貨出金取引装置では、硬貨出金取引装置内の金種別収納部から放出された出金硬貨を搬送する硬貨搬送路上に設けた識別部にて識別し、識別部の識別結果により正規の硬貨でないと判定したときは、これを出金リジェクト硬貨として出金リジェクト庫に回収し、正規の硬貨と判定したときは、顧客が当該硬貨を装置内から取り出せる出金硬貨受皿へと搬送し、所定の時間内に顧客がこれを取らないときは、運用を停止したり、取り忘れ硬貨として取り忘れ硬貨回収庫に回収するようにしているものがあった。
【０００３】
そして、金種別収納部から放出された出金硬貨が上位装置より出金指示された枚数及び金種であるかどうかについては、前記識別部を用いて確認していた。（例えば、特許文献１参照）。
【０００４】
一方、近年、コンビニエンスストアなど狭い空間に硬貨出金取引装置を設置するケースが増えており、従来の機能や性能を維持しつつ小型化や低コスト化の要求が高まっている。そして、無人運用・遠隔保守を前提とした長期継続運転の要求が高まっている。
【特許文献１】特開２００１−２９１１３６号公報
【発明の開示】
【発明が解決しようとする課題】
【０００５】
しかしながら、上記従来の硬貨出金取引装置では、金種別収納部から投出される出金硬貨が上位装置より指示された枚数及び金種であるかどうかを確認する識別部が必要であり、硬貨出金取引装置の小型化、低コスト化の妨げとなっていた。
【０００６】
また、前記出金リジェクト硬貨は装置内にそのまま保持しておくべきものであり、一方、前記取り忘れ硬貨は顧客側に返却すべきものであり、長期継続運転を実現するためには、それぞれ別々の回収庫を設ける必要があり、これも小型化、低コスト化の妨げとなっていた。
【課題を解決するための手段】
【０００７】
本発明は、前述の課題を解決するために次の手段を採用する。すなわち、本発明は、出金用ホッパより硬貨を放出して搬送し出金受皿に出金する硬貨出金取引装置において、前記出金用ホッパ近傍に設けた繰出し部センサと、前記出金受皿の手前に出金部センサを設け、前記各センサを通過する硬貨の枚数計数値に基づいて、出金動作が正常であるかどうかを判定するようにした。
【０００８】
或いはさらに、出金リジェクト硬貨および取忘れ硬貨を格納する出金リジェクト庫を具備し、出金リジェクト庫内に硬貨が入っていないときは、前記出金受皿の取忘れ硬貨を出金リジェクト庫へ回収し、出金取引を継続するようにした。
【発明の効果】
【０００９】
本発明の硬貨出金取引装置によれば、出金用ホッパ近傍に設けた繰出し部センサと、前記出金受皿の手前に出金部センサを設け、前記各センサを通過する硬貨の枚数計数値に基づいて、出金動作が正常であるかどうかを判定するようにしたので、大型で高価な識別部を設ける必要がない。
【００１０】
或いはさらに、出金リジェクト硬貨および取忘れ硬貨を格納する出金リジェクト庫を具備し、出金リジェクト庫内に硬貨が入っていないときは、前記出金受皿の取忘れ硬貨を出金リジェクト庫へ回収し、出金取引を継続するようにしたので、出金リジェクト硬貨および取忘れ硬貨を別々に回収する回収部を設ける必要がない。
【発明を実施するための最良の形態】
【００１１】
以下、本発明に係る実施の形態例を、図面を用いて説明する。なお、本発明の硬貨出金取引装置としては、硬貨を出金する例として以下説明するが、通貨性のないコイン等を自動的に払い出す装置にも勿論適用できる。
【実施例】
【００１２】
（構成）
実施例の硬貨出金取引装置の構成を図１に示す。同図に示したように、装置左上部には、出金用ホッパ２が金種別に設けられており、出金用ホッパ２の放出先には、出金硬貨２０を図中Ａ方向に搬送する搬送ベルト３が、搬送先である出金受皿４まで延びている。
【００１３】
また、搬送ベルト３上の出金用ホッパ２近傍および出金受皿４の手前には、搬送される出金硬貨の通過を検知する繰出し部センサ５および出金部センサ６を設け、搬送ベルト３への硬貨の入と出を検知可能としている。
【００１４】
また、出金受皿４には、硬貨の残留を検知する残留センサ７と、出金リジェクト硬貨を一括回収する受底が下側（図中矢印Ｂ方向）へ開く受底８が設けられており、出金受皿４の下側には、当該受底から滑り落ちた出金リジェクト硬貨を回収する出金リジェクト庫９が設けられている。
【００１５】
また、出金用ホッパ２内の硬貨枚数を管理する硬貨枚数管理カウンタ１１と、出金可能な硬貨枚数を管理する硬貨出金可能枚数カウンタ１２を金種別にそれぞれ設け、出金用ホッパ２の装着をトリガとして、装着金種の両カウンタのクリアリセットを実行するようになっている。
【００１６】
また、取引毎に出金硬貨枚数を合計して管理する取引硬貨枚数カウンタ１５を設けている。ここで取引硬貨枚数とは、上位装置から指示された取引毎の出金硬貨の合計枚数のことをいう。
【００１７】
そして、前述の搬送ベルト３上に設けられた前記繰出し部センサ５、出金部センサ６を硬貨２０が横切った計数を行うカウンタとして、それぞれ繰出し部通過枚数カウンタ１３、出金部通過枚数カウンタ１４を設け、取引硬貨枚数カウンタ１５と同様に取引毎の出金硬貨枚数のチェックに用いる。
【００１８】
また、出金受皿４に出金硬貨を放出した後、顧客がこれを取るために開放するシャッタ１７が出金受皿４の上部に設けられている。
【００１９】
（動作）
以上の構成により実施例の硬貨出金取引装置は、以下のように動作する。この動作を図１の硬貨出金取引装置の構成図および図２ないし図４の動作フローチャートを用いて以下説明する。
【００２０】
まず、出金用ホッパ２には、あらかじめ規定量の出金硬貨が充填されており、硬貨出金取引装置１に各出金用ホッパ２を装着したときに（ステップＳ１）、該当する硬貨枚数管理カウンタ１１及び硬貨出金可能枚数カウンタ１２に前記規定の枚数が設定される（ステップＳ２）。例えば、１円硬貨、５円硬貨、１０円硬貨、５０円硬貨、１００円硬貨、５００円硬貨をそれぞれ５００枚セットしたときは、全金種の硬貨枚数管理カウンタ１１及び硬貨出金可能枚数カウンタ１２に「５００」をセットする。
【００２１】
次に、全金種の硬貨枚数管理カウンタ１１及び硬貨出金可能枚数カウンタ１２のカウンタ値を確認し、各金種の残枚数をチェックする（ステップＳ３）。なお、硬貨充填済みの出金用ホッパ２を装着した場合は、装着した金種については当然にニアエンドとはならないが、他の金種のニアエンド検出および後述の出金動作を行い後述のステップＳ３３の連結子Ａにより本ステップに戻ったときに、本ステップにてニアエンドを検出する。
【００２２】
他の金種のニアエンド、或いは後述の出金動作によりニアエンドとなったときは、管理センタへニアエンドを通知するための「ニアエンドコール」を送信する（ステップＳ４）。次いで、再度、全金種の硬貨枚数管理カウンタ１１及び硬貨出金可能枚数カウンタ１２のカウンタ値を確認し、残枚数がエンド状態であるかどうかをチェックし（ステップＳ５）、エンド状態であったときは、出金取引を継続することができないので、管理センタに残枚数なしを知らせる「エンドコール」を行うとともに（ステップＳ６）、硬貨出金取引装置を一旦停止する（ステップＳ７）。
【００２３】
そして、残枚数が十分にあるときは、図示しない上位装置からの出金硬貨の金種及び枚数の指示に従い、出金取引を開始し、（ステップＳ８）、出金硬貨枚数の合計を取引硬貨枚数カウンタ１５にセットする（ステップＳ９）。そして、繰出し部通過枚数カウンタ１３及び出金部通過枚数カウンタ１４をクリアする（ステップＳ１０・Ｓ１１）。
【００２４】
そして、出金用ホッパ２より出金硬貨を１枚ずつ搬送ベルト３上へ放出すると、放出された出金硬貨は搬送ベルト３にて出金受皿４へ搬送される（ステップＳ１２）。
【００２５】
この時、金種毎に対応する硬貨枚数管理カウンタ１１及び硬貨出金可能枚数カウンタ１２より当該枚数を減算する（ステップＳ１３）。そして、搬送ベルト３上に積まれた出金硬貨２０が出金用ホッパ２近傍に設けられた繰出し部センサ５を通過する毎に（ステップＳ１４）、繰出し部通過枚数カウンタ１３を加算する（ステップＳ１５）。
【００２６】
そして、この搬送された出金硬貨２０が、出金受皿４手前に設けられた出金部センサ６を通過すると（ステップ１６）、出金部通過枚数カウンタ１４を加算する（ステップＳ１７）。
【００２７】
そして、出金硬貨２０が出金受皿４に搬送されるための所定の時間経過後（ステップＳ２１）、繰出し部通過枚数カウンタ１３、出金部通過枚数カウンタ１４及び取引硬貨枚数カウンタ１５が一致するかどうかを判定し（ステップＳ２２）、一致した場合は図示しない上位装置より指示された出金硬貨がすべて出金受皿４へ搬送されたと判断し、シャッタ１７を開けて顧客に取るようにガイドする（ステップＳ２３）。
【００２８】
そして、出金受皿４に設けられた残留センサ７により、出金受皿４内の硬貨が顧客によって全て取り出されたと確認したときは（ステップＳ２４）、シャッタ１７を閉め（ステップＳ３２）、取引硬貨枚数カウンタ１５をクリアし本出金取引を終了し（ステップＳ３３）、連結子Ａのように前述ステップＳ３に戻り、出金取引動作を継続する。
【００２９】
そして、各金種別の硬貨枚数管理カウンタ１１及び硬貨出金可能枚数カウンタ１２が設定された枚数（エンド枚数）に到達するまで継続し、その前に設定された枚数（ニアエンド枚数）に到達した時点で、管理センタへ通知すると（ステップＳ５）、係員が速やかに充填された出金用ホッパと交換する。
【００３０】
一方、シャッタ１７を開けてから所定の時間経過しても、残留センサ７により残留有りを検出した場合は（ステップＳ２５）、顧客が取り忘れたと判断し、シャッタを閉め（ステップＳ２６）、残留センサ１０により出金リジェクト庫９にすでに残留硬貨が放出されているかどうかを確認する（ステップＳ２７）。
【００３１】
そして、残留硬貨がないときは、受底８を矢印Ｂ方向に開き出金受皿４内の硬貨を出金リジェクト庫９内に回収し（ステップＳ３０）、管理センタへ保守要請の旨を通知し（ステップＳ３１）、前述ステップＳ３３と同様、取引硬貨枚数カウンタ１５をクリアし本出金取引を終了し連結子Ａのように前述ステップＳ３に戻り、以降の出金動作を継続する。
【００３２】
なお、以上のステップＳ２７のように、出金リジェクト庫９の残留硬貨を残留センサ１０にて検出するのではなく、受底８をＢ方向に開き出金受皿４の残留硬貨を出金リジェクト庫９に回収したことを記憶しておくことにより、出金リジェクト庫９にすでに残留硬貨があるかどうかを判定するようにしてもよい。このようにすれば、残留センサ１０を設ける必要がない。
【００３３】
一方、ステップＳ２７にて、出金リジェクト庫９に残留硬貨があると判定したときは、係員が出金リジェクト庫９から残留硬貨を取るまで或いは出金受皿４から取り忘れ硬貨を取り出すまでは、硬貨出金取引装置の運用を停止するしかなく、硬貨の出金ができない。従って、管理センタへ保守コールを行い（ステップＳ２８）、硬貨出金取引装置を停止する（ステップＳ２９）。
【００３４】
再びステップＳ２２に戻り、ステップＳ２２において繰出し部通過枚数カウンタ１３、出金部通過枚数カウンタ１４、取引硬貨枚数カウンタ１５が一致しなかった場合は、出金動作失敗と判断し、次の各条件により該当する動作を実行する。
【００３５】
（１）取引硬貨枚数カウンタ１５＞繰出し部通過枚数カウンタ１３の場合は（ステップＳ４１）、出金用ホッパ２からの繰出しミスがあったものと判断し（ステップＳ４２）、出金受皿４の受底８を開き、搬送済みの出金硬貨２０を出金リジェクト硬貨として出金リジェクト庫９へ回収する。
【００３６】
そして、管理センタへ保守コールを行い（ステップＳ４４）、連結子Ｄのように、前出ステップＳ１０に戻り、繰出し部通過枚数カウンタ１３及び出金部通過枚数カウンタ１４をクリアし（ステップＳ１０・Ｓ１１）、出金用ホッパ２から、再度、上位装置より指示のあった出金硬貨の金種及び枚数を放出し直し、以降の動作を継続する。
【００３７】
（２）取引硬貨枚数カウンタ１５＜繰出し部通過枚数カウンタ１３の場合は（ステップＳ５１）、出金用ホッパ２から過投出があったものと判断し、出金受皿４の受底８を開き、搬送済みの出金硬貨２０を出金リジェクト硬貨として出金リジェクト庫９へ回収する。
【００３８】
そして、管理センタへ保守コールを行い（ステップＳ５４）、上位装置から指示のあった金種の硬貨出金可能枚数カウンタ１２を過投出の枚数分減少させる（ステップＳ５５）。そして、連結子Ｄに従い、前出ステップＳ１０に戻り、繰出し部通過枚数カウンタ１３及び出金部通過枚数カウンタ１４をクリアし（ステップＳ１０・Ｓ１１）、出金用ホッパ２から、再度、上位装置より指示のあった出金硬貨の金種及び枚数を放出しなおし、以降の動作を継続する。
【００３９】
例えば、上位装置から５００円硬貨１枚、５０円硬貨１枚、５円硬貨１枚、計３枚を出金する旨の指示があった場合では、取引硬貨枚数カウンタ１５は３枚にセットされるが、過投出により計４枚が放出されたときは、繰出し部センサ５を４枚の硬貨が通過するため、繰出し部通過枚数カウンタ１３は４枚となる。その結果、取引硬貨枚数カウンタ（＝３）＜繰出し部通過枚数カウンタ（＝４）となり、出金用ホッパ２から過投出があったものと判断される。
【００４０】
硬貨出金取引装置１には、硬貨種別の識別を行う識別部がないので、いずれの種別の硬貨が多く出金されたかどうかが不明であるため、出金指示のあった金種の硬貨出金可能枚数カウンタ１２をすべて過投出枚数分減算する。
【００４１】
すなわち、ステップＳ１３にてすでに硬貨枚数管理カウンタ１１、硬貨出金可能枚数カウンタ１２が出金指示のあった５００円硬貨、５０円硬貨、５円硬貨について減算されているが、過投出枚数が１枚であるので、５００円硬貨、５０円硬貨、５円硬貨の各硬貨出金可能枚数カウンタ１２の値をさらに１枚ずつ減算する。
【００４２】
以上のように、各硬貨出金可能枚数カウンタ１２の値をすべて減算すると、過投出のなかった金種のカウンタも減算されてしまうが、このようにすることにより、ステップ３にて行うニアエンド、或いはステップＳ５にて行うエンド検出において、確実にニアエンド或いはエンドを検出することができる。
【００４３】
（３）出金部通過枚数カウンタ１４＞繰出し部通過枚数カウンタ１３の場合（ステップＳ６１）は、搬送ベルト３上に滞留していた以前の取引時の出金硬貨２０が搬出されたものと判断し（ステップＳ６２）、出金受皿４の受底８を開き、搬送済みの出金硬貨２０を出金リジェクト硬貨として出金リジェクト庫９へ回収する（ステップＳ６３）。
【００４４】
そして、管理センタへ保守コールを行い（ステップＳ６４）、連結子Ｄのように、前出ステップＳ１０に戻り、繰出し部通過枚数カウンタ１３及び出金部通過枚数カウンタ１４をクリアし（ステップＳ１０・Ｓ１１）、出金用ホッパ２から、再度、上位装置より指示のあった出金硬貨の金種及び枚数を放出し直し、以降の動作を継続する。
【００４５】
（４）出金部通過枚数カウンタ１４＜繰出し部通過枚数カウンタ１３の場合は（ステップＳ７１）、搬送ベルト３上で出金硬貨ジャムが発生したものと判断し（ステップＳ７２）、シャッタ１７を閉めたまま、ジャムコールをし（ステップＳ７３）、硬貨出金取引装置を停止する（ステップＳ７４）。
【００４６】
以上のように、（１）〜（３）の場合は、出金リジェクトが発生したと判断し、当該リジェクト硬貨を回収した後、継続して出金処理を行う。但し、（２）の過投出の場合は、実施例の硬貨出金取引装置は識別部を持たないので、複数の金種を出金した場合、どの金種の硬貨枚数管理カウンタから過投出分の枚数を減算すれば良いか判断できず、あらかじめ用意しておいた金種別の硬貨出金可能枚数カウンタから、過投出分の枚数を上位装置から指示のあった金種についてそれぞれ減算し、出金用ホッパ２の交換によるカウンタクリアまでこの硬貨出金可能枚数カウンタ１２により推測される出金用ホッパ２内の最少残枚数を管理するカウンタとして動作させ、硬貨出金取引を継続して運用するようにしている。
【００４７】
そして、保守点検時には、出金リジェクト庫９内の出金リジェクト硬貨及び出金用ホッパ２を回収し、充填済みの出金用ホッパ２を装着することにより、硬貨出金可能枚数カウンタ１２及び硬貨枚数管理カウンタ１１はクリアリセットされ、初期状態へ戻る。回収された出金リジェクト硬貨については、別途取引時に記録されたログの履歴を付き合わせて精査される。
【００４８】
なお、以上の説明では、出金リジェクト庫９に出金リジェクト硬貨が入っていないと判断された場合において、シャッタ１７を閉めた後、受底８を開いて取り忘れ硬貨を出金リジェクト庫９へ回収し、硬貨出金取引装置を停止することなく継続して出金動作を行うように説明したが、運用の継続性は低下するが、取り忘れが発生した場合、即時に硬貨出金取引装置を停止するようにしてもよい。
【００４９】
また、実施例の説明では、（２）の過投出が発生した場合に、あらかじめ用意しておいた金種別の硬貨出金可能枚数カウンタ１２から、過投出分の枚数を上位装置からの指示された複数金種についてそれぞれ減算する例を説明したが、例えば、３０円出金、４００円出金等のように、上位装置からの出金指示内容が同一金種のみの指定であった場合では、金種を特定することができるので、繰出し部通過枚数カウンタ１３から、上位装置より指示された取引硬貨枚数カウンタ１５分を引いた枚数、すなわち、過投出枚数を該当する金種の硬貨枚数管理カウンタ１１から差し引くようにすれば、硬貨出金可能枚数カウンタ１２を硬貨枚数管理カウンタ１１として使用することなく硬貨枚数管理カウンタ１１により継続して運用することができる。
【００５０】
（実施例の効果）
以上のように、実施例の硬貨出金取引装置によれば、繰出し部センサ及び出金部センサを設け、通過する硬貨の枚数を計数し、当該計数結果に基づき出金動作が正常であるかどうかの判断を行うことができるので、大型で高価な識別部を設ける必要がない。
【００５１】
或いはさらに、硬貨出金可能枚数カウンタを設け、過投出発生時には、過投出枚数を出金金種の硬貨出金可能枚数カウンタからそれぞれ減算し、その後の運用では硬貨出金可能枚数カウンタを硬貨枚数管理カウンタとして使用するようにしたので、出金可能な最少の出金硬貨枚数を把握でき、当該最少出金硬貨枚数により出金取引を継続することができる。
【００５２】
或いはさらに、出金リジェクト硬貨および取忘れ硬貨を格納する出金リジェクト庫を具備し、出金リジェクト庫内に硬貨が入っていないときは、前記出金受皿の取忘れ硬貨を出金リジェクト庫へ回収し、出金取引を継続するようにしたので、出金リジェクト硬貨および取忘れ硬貨を別々に回収する回収部を設ける必要がない。
【００５３】
以上の結果、可能な限り出金取引動作を継続することができるとともに、硬貨出金取引装置の小型化、低コスト化を実現することができる。
【産業上の利用可能性】
【００５４】
以上述べたように、本発明は、所定の種類および枚数の媒体を自動的に排出する媒体自動排出装置に広く用いることができる。
【図面の簡単な説明】
【００５５】
【図１】実施例の硬貨出金取引装置の構成およびその動作を説明する図である。
【図２】実施例の硬貨出金取引装置の動作フローチャートである。
【図３】実施例の硬貨出金取引装置の動作フローチャートである。
【図４】実施例の硬貨出金取引装置の動作フローチャートである。
【符号の説明】
【００５６】
１    硬貨出金取引装置
２    出金用ホッパ
３    搬送ベルト
４    出金受皿
５    繰出し部センサ
６    出金部センサ
７    第１の残留センサ
８    受底
９    出金リジェクト部
１０  第２の残留センサ
１１  硬貨枚数管理カウンタ
１２  硬貨出金可能枚数カウンタ
１３  繰出し部通過枚数カウンタ
１４  出金部通過枚数カウンタ
１５  取引硬貨枚数カウンタ
１７  シャッタ
【図１】
2008003995.tif 000003
【図２】
2008003995.tif 000004
【図３】
2008003995.tif 000005
【図４】
2008003995.tif 000006